(57)【要約】【課題】入金処理の時間を短縮することができる紙幣処理機の提供。【解決手段】機外から投入されたバラ紙幣を識別して一時貯留させる一時貯留処理および一時貯留されたバラ紙幣を収納する収納処理からなる入金処理を行う入金機構３８と、入金機構によって収納されたバラ紙幣を機内で結束して小束紙幣として収納する整理処理を行う結束収納機構と、結束収納機構によって収納された小束紙幣を機外へ出金する小束出金処理を行う小束出金機構と、これら入金機構、結束収納機構および小束出金機構を制御する制御部３７とを有し、制御部は、入金機構による一の入金処理の終了後に、入金機構に収納されたバラ紙幣の有り高が、予め設定された開始指定枚数以上となっている場合に、該入金機構に収納されたバラ紙幣を結束収納機構により結束して小束紙幣として収納する通常整理処理を実行する。【選択図】図１
2007193743.tif 000002
【特許請求の範囲】
【請求項１】
機外から投入されたバラ紙幣を識別して一時貯留させる一時貯留処理および一時貯留されたバラ紙幣を収納する収納処理からなる入金処理を行う入金機構と、該入金機構によって収納されたバラ紙幣を機内で結束して小束紙幣として収納する整理処理を行う結束収納機構と、該結束収納機構によって収納された小束紙幣を機外へ出金する小束出金処理を行う小束出金機構と、これら入金機構、結束収納機構および小束出金機構を制御する制御部とを有する紙幣処理機において、
前記制御部は、前記入金機構による一の入金処理の終了後に、該入金機構に収納されたバラ紙幣の有り高が、予め設定された開始指定枚数以上となっている場合に、該入金機構に収納されたバラ紙幣を前記結束収納機構により結束して小束紙幣として収納する通常整理処理を実行することを特徴とする紙幣処理機。
【請求項２】
前記制御部は、前記通常整理処理時に、当該通常整理処理後の前記入金機構のバラ紙幣の有り高が、予め設定された終了指定枚数を下回ることがないと予想される範囲で、前記入金機構に収納されたバラ紙幣を前記結束収納機構により結束して小束紙幣として収納することを特徴とする請求項１記載の紙幣処理機。
【請求項３】
前記制御部は、前記結束収納機構による前記通常整理処理中に、前記入金機構による前記一時貯留処理が要求された場合、該一時貯留処理を並行して実行することを特徴とする請求項１または２記載の紙幣処理機。
【請求項４】
前記制御部は、前記結束収納機構による前記通常整理処理および前記入金機構による前記一時貯留処理の並行実行中に、前記入金機構で前記一時貯留処理から前記収納処理に移行する際には、前記結束収納機構による前記通常整理処理を一時中断して前記入金機構による前記収納処理を実行することを特徴とする請求項３記載の紙幣処理機。
【請求項５】
前記制御部は、前記入金機構による一の入金処理中に、該入金機構に収納されたバラ紙幣の有り高が、予め設定された収納満杯枚数に達すると、該入金機構による当該一の入金処理を一時中断して、該入金機構に収納されたバラ紙幣を前記結束収納機構により結束して小束紙幣として収納する強制整理処理を実行することを特徴とする請求項１乃至４のいずれか一項記載の紙幣処理機。
【請求項６】
前記強制整理処理は、前記入金機構に収納されたバラ紙幣のうち、予め設定された強制整理束数分の枚数のバラ紙幣を前記結束収納機構により結束して小束紙幣として収納することを特徴とする請求項５記載の紙幣処理機。
【請求項７】
前記強制整理束数分のバラ紙幣の枚数は、前記入金機構における前記一時貯留処理の予め設定された一時貯留満杯枚数の所定の整数倍、または該整数倍を、結束のために最小限の範囲で超えた枚数に設定されていることを特徴とする請求項６記載の紙幣処理機。
【請求項８】
前記制御部は、前記入金機構に収納されたバラ紙幣を前記強制整理処理によって前記結束収納機構により結束して小束紙幣として収納した後、前記一時中断していた前記入金機構による一の入金処理を再開することを特徴とする請求項５乃至７のいずれか一項記載の紙幣処理機。
【請求項９】
前記制御部は、一の入金処理の最中に前記強制整理処理を実行した後の当該一の入金処理の再開後に、前記入金機構に収納されたバラ紙幣の有り高が、予め設定された第２開始指定枚数以上となった場合には、当該一の入金処理における前記一時貯留処理と並行して、前記結束収納機構による前記通常整理処理を実行することを特徴とする請求項８記載の紙幣処理機。
【請求項１０】
前記制御部は、前記結束収納機構による前記通常整理処理および前記入金機構による前記一時貯留処理の並行実行中に、前記入金機構で前記一時貯留処理から前記収納処理に移行する際には、前記結束収納機構による前記通常整理処理を一時中断して前記入金機構による前記収納処理を実行することを特徴とする請求項９記載の紙幣処理機。
【請求項１１】
前記制御部は、前記強制整理処理の実行中に、前記結束収納機構に収納された小束紙幣の有り高が予め設定された収納満杯束数に達すると、当該強制整理処理を中断することを特徴とする請求項５乃至１０のいずれか一項記載の紙幣処理機。
【請求項１２】
前記制御部は、前記強制整理処理の実行中に、前記小束出金機構による前記小束出金処理が要求された場合、当該強制整理処理を一時中断して、前記小束出金機構による前記小束出金処理を実行することを特徴とする請求項５乃至１１のいずれか一項記載の紙幣処理機。
【請求項１３】
前記制御部は、前記通常整理処理の実行中に、前記結束収納機構に収納された小束紙幣の有り高が予め設定された収納満杯束数に達すると、当該通常整理処理を中断することを特徴とする請求項１乃至１２のいずれか一項記載の紙幣処理機。
【請求項１４】
前記制御部は、前記通常整理処理の実行中に、前記小束出金機構による前記小束出金処理が要求された場合、当該通常整理処理を一時中断して、前記小束出金機構による前記小束出金処理を実行することを特徴とする請求項１乃至１３のいずれか一項記載の紙幣処理機。
【請求項１５】
前記入金機構が、機体の一の操作面側から操作可能とされており、前記小束出金機構が、機体の他の一の操作面側から操作可能とされていることを特徴とする請求項１乃至１４のいずれか一項記載の紙幣処理機。
【請求項１６】
前記入金機構によって収納されたバラ紙幣をバラのまま出金させるバラ出金機構がさらに設けられていることを特徴とする請求項１乃至１５のいずれか一項記載の紙幣処理機。
【請求項１７】
前記入金機構と前記バラ出金機構とが、機体の一の操作面側から操作可能とされており、前記小束出金機構が、機体の他の一の操作面側から操作可能とされていることを特徴とする請求項１６記載の紙幣処理機。
【請求項１８】
前記入金機構および前記小束出金機構が、機体の同一の操作面側から操作可能とされていることを特徴とする請求項１乃至１４のいずれか一項記載の紙幣処理機。
【発明の詳細な説明】
【技術分野】
【０００１】
本発明は、バラ紙幣の入金および入金されたバラ紙幣の結束を行うことができる紙幣処理機に関する。
【背景技術】
【０００２】
銀行等の金融機関で、係員だけが使用する出納機と呼ばれる紙幣処理機がある。この紙幣処理機は、銀行で取り扱う大量の紙幣を入金可能とするもので、機外からバラ紙幣が投入される紙幣投入部と、この紙幣投入部に投入されたバラ紙幣を識別する入金識別部と、この入金識別部で識別されたバラ紙幣を一時貯留させる金種別の一時貯留部と、各一時貯留部に金種別に一時貯留されたバラ紙幣を、入金操作部への操作入力で収納する金種別のバラ紙幣収納部と、各バラ紙幣収納部に収納されたバラ紙幣を結束する結束部と、この結束部で結束された小束紙幣を収納する金種別の小束収納部と、小束収納部に収納された小束紙幣を、出金操作部への操作入力で適宜機外へ取り出し可能に出金させる小束出金部とを有している（例えば、特許文献１参照）。
【特許文献１】特開２０００−１７７９３５号公報
【発明の開示】
【発明が解決しようとする課題】
【０００３】
従来の出納機は、店舗の始業前には、窓口等での運転資金としてのバラ紙幣および小束紙幣を出金させる出金処理を行うことになり、終業後には、運転資金の回収のための入金処理を行うようになっている。また、それ以外にも、例えば大口の紙幣の入金があった場合には、この紙幣の入金処理をも行うようになっている。そして、入金処理中に、金種毎にバラ紙幣収納部に収納されたバラ紙幣のうちのいずれかの金種のバラ紙幣の収納量が、満杯近くになったと判定できる予め定められた一定量になった場合に、入金処理を一旦中断して、この金種のバラ紙幣を結束して小束収納部に収納させるようになっている。
【０００４】
ところで、従来の出納機では、特に大口の紙幣の入金処理を行う場合に、上記した一定量に近い量のバラ紙幣がすでに収納された状態にあると、入金処理中に入金処理を一旦中断してバラ紙幣を結束する整理処理を行う可能性が高く、入金処理に必要以上に時間がかかってしまう可能性があった。
【０００５】
したがって、本発明は、入金処理の時間を短縮することができる紙幣処理機の提供を目的とする。
【課題を解決するための手段】
【０００６】
上記目的を達成するために、請求項１に係る発明は、機外から投入されたバラ紙幣を識別して一時貯留させる一時貯留処理および一時貯留されたバラ紙幣を収納する収納処理からなる入金処理を行う入金機構と、該入金機構によって収納されたバラ紙幣を機内で結束して小束紙幣として収納する整理処理を行う結束収納機構と、該結束収納機構によって収納された小束紙幣を機外へ出金する小束出金処理を行う小束出金機構と、これら入金機構、結束収納機構および小束出金機構を制御する制御部とを有する紙幣処理機において、前記制御部は、前記入金機構による一の入金処理の終了後に、該入金機構に収納されたバラ紙幣の有り高が、予め設定された開始指定枚数以上となっている場合に、該入金機構に収納されたバラ紙幣を前記結束収納機構により結束して小束紙幣として収納する通常整理処理を実行することを特徴としている。
【０００７】
請求項２に係る発明は、請求項１に係る発明において、前記制御部は、前記通常整理処理時に、当該通常整理処理後の前記入金機構のバラ紙幣の有り高が、予め設定された終了指定枚数を下回ることがないと予想される範囲で、前記入金機構に収納されたバラ紙幣を前記結束収納機構により結束して小束紙幣として収納することを特徴としている。
【０００８】
請求項３に係る発明は、請求項１または２に係る発明において、前記制御部は、前記結束収納機構による前記通常整理処理中に、前記入金機構による前記一時貯留処理が要求された場合、該一時貯留処理を並行して実行することを特徴としている。
【０００９】
請求項４に係る発明は、請求項３に係る発明において、前記制御部は、前記結束収納機構による前記通常整理処理および前記入金機構による前記一時貯留処理の並行実行中に、前記入金機構で前記一時貯留処理から前記収納処理に移行する際には、前記結束収納機構による前記通常整理処理を一時中断して前記入金機構による前記収納処理を実行することを特徴としている。
【００１０】
請求項５に係る発明は、請求項１乃至４のいずれか一項に係る発明において、前記制御部は、前記入金機構による一の入金処理中に、該入金機構に収納されたバラ紙幣の有り高が、予め設定された収納満杯枚数に達すると、該入金機構による当該一の入金処理を一時中断して、該入金機構に収納されたバラ紙幣を前記結束収納機構により結束して小束紙幣として収納する強制整理処理を実行することを特徴としている。
【００１１】
請求項６に係る発明は、請求項５に係る発明において、前記強制整理処理は、前記入金機構に収納されたバラ紙幣のうち、予め設定された強制整理束数分の枚数のバラ紙幣を前記結束収納機構により結束して小束紙幣として収納することを特徴としている。
【００１２】
請求項７に係る発明は、請求項６に係る発明において、前記強制整理束数分のバラ紙幣の枚数は、前記入金機構における前記一時貯留処理の予め設定された一時貯留満杯枚数の所定の整数倍、または該整数倍を、結束のために最小限の範囲で超えた枚数に設定されていることを特徴としている。
【００１３】
請求項８に係る発明は、請求項５乃至７のいずれか一項に係る発明において、前記制御部は、前記入金機構に収納されたバラ紙幣を前記強制整理処理によって前記結束収納機構により結束して小束紙幣として収納した後、前記一時中断していた前記入金機構による一の入金処理を再開することを特徴としている。
【００１４】
請求項９に係る発明は、請求項８に係る発明において、前記制御部は、一の入金処理の最中に前記強制整理処理を実行した後の当該一の入金処理の再開後に、前記入金機構に収納されたバラ紙幣の有り高が、予め設定された第２開始指定枚数以上となった場合には、当該一の入金処理における前記一時貯留処理と並行して、前記結束収納機構による前記通常整理処理を実行することを特徴としている。
【００１５】
請求項１０に係る発明は、請求項９に係る発明において、前記制御部は、前記結束収納機構による前記通常整理処理および前記入金機構による前記一時貯留処理の並行実行中に、前記入金機構で前記一時貯留処理から前記収納処理に移行する際には、前記結束収納機構による前記通常整理処理を一時中断して前記入金機構による前記収納処理を実行することを特徴としている。
【００１６】
請求項１１に係る発明は、請求項５乃至１０のいずれか一項に係る発明において、前記制御部は、前記強制整理処理の実行中に、前記結束収納機構に収納された小束紙幣の有り高が予め設定された収納満杯束数に達すると、当該強制整理処理を中断することを特徴としている。
【００１７】
請求項１２に係る発明は、請求項５乃至１１のいずれか一項に係る発明において、前記制御部は、前記強制整理処理の実行中に、前記小束出金機構による前記小束出金処理が要求された場合、当該強制整理処理を一時中断して、前記小束出金機構による前記小束出金処理を実行することを特徴としている。
【００１８】
請求項１３に係る発明は、請求項１乃至１２のいずれか一項に係る発明において、前記制御部は、前記通常整理処理の実行中に、前記結束収納機構に収納された小束紙幣の有り高が予め設定された収納満杯束数に達すると、当該通常整理処理を中断することを特徴としている。
【００１９】
請求項１４に係る発明は、請求項１乃至１３のいずれか一項に係る発明において、前記制御部は、前記通常整理処理の実行中に、前記小束出金機構による前記小束出金処理が要求された場合、当該通常整理処理を一時中断して、前記小束出金機構による前記小束出金処理を実行することを特徴としている。
【００２０】
請求項１５に係る発明は、請求項１乃至１４のいずれか一項に係る発明において、前記入金機構が、機体の一の操作面側から操作可能とされており、前記小束出金機構が、機体の他の一の操作面側から操作可能とされていることを特徴としている。
【００２１】
請求項１６に係る発明は、請求項１乃至１５のいずれか一項に係る発明において、前記入金機構によって収納されたバラ紙幣をバラのまま出金させるバラ出金機構がさらに設けられていることを特徴としている。
【００２２】
請求項１７に係る発明は、請求項１６に係る発明において、前記入金機構と前記バラ出金機構とが、機体の一の操作面側から操作可能とされており、前記小束出金機構が、機体の他の一の操作面側から操作可能とされていることを特徴としている。
【００２３】
請求項１８に係る発明は、請求項１乃至１４のいずれか一項に係る発明において、前記入金機構および前記小束出金機構が、機体の同一の操作面側から操作可能とされていることを特徴としている。
【発明の効果】
【００２４】
請求項１に係る発明によれば、制御部は、入金機構による一の入金処理の終了後に、入金機構に収納されたバラ紙幣の有り高が、予め設定された開始指定枚数以上となっている場合に、入金機構に収納されたバラ紙幣を結束収納機構により結束して小束紙幣として収納する通常整理処理を自動的に実行するため、各入金処理後に入金機構に収納されたバラ紙幣を極力減らして大量の紙幣の入金に備えておくことができる。したがって、入金処理中に入金処理を一旦中断してバラ紙幣を結束する整理処理を行うといった状況になり難く、入金処理の時間を短縮することができる。
【００２５】
請求項２に係る発明によれば、制御部は、通常整理処理時に、当該通常整理処理後の入金機構のバラ紙幣の有り高が、予め設定された終了指定枚数を下回ることがないと予想される範囲で、入金機構に収納されたバラ紙幣を結束収納機構により結束して小束紙幣として収納するため、例えば終了指定枚数として結束に必要な枚数のバラ紙幣を結束収納機構に余裕を持って送ることができる枚数を設定しておくことで、結束単位枚数に対し不足した枚数のバラ紙幣を結束収納機構に送ってしまうことを防止できる。
【００２６】
請求項３に係る発明によれば、制御部は、結束収納機構による通常整理処理中に、入金機構による一時貯留処理が要求された場合、一時貯留処理を並行して実行するため、通常整理処理の終了を待たずに入金処理を開始することができる。したがって、通常整理処理中でも入金処理を進めることができる。
【００２７】
請求項４に係る発明によれば、制御部は、結束収納機構による通常整理処理および入金機構による一時貯留処理の並行実行中に、入金機構で一時貯留処理から収納処理に移行する際には、結束収納機構による通常整理処理を一時中断して入金機構による収納処理を実行するため、人が関わる入金処理の一時貯留処理および収納処理を、基本的に人が関わらない通常整理処理に対し優先することになり、人が関わる時間を短縮することができる。
【００２８】
請求項５に係る発明によれば、制御部は、入金機構による一の入金処理中に、入金機構に収納されたバラ紙幣の有り高が、予め設定された収納満杯枚数に達すると、入金機構による当該一の入金処理を一時中断して、入金機構に収納されたバラ紙幣を結束収納機構により結束して小束紙幣として収納する強制整理処理を自動的に実行するため、例え入金機構のバラ紙幣が満杯になっても、何らの操作を行わずに自動的に結束してバラ紙幣を減らすことができ、入金処理を継続することができる。
【００２９】
請求項６に係る発明によれば、強制整理処理は、入金機構に収納されたバラ紙幣のうち、予め設定された強制整理束数分の枚数のバラ紙幣を結束収納機構により結束して小束紙幣として収納するため、例えば一時貯留処理の満杯枚数に合わせて入金機構のバラ紙幣を減らす等、再開後の処理を考慮して効率的にバラ紙幣を減らすことが可能となる。
【００３０】
請求項７に係る発明によれば、強制整理束数分のバラ紙幣の枚数が、入金機構における一時貯留処理の予め設定された一時貯留満杯枚数の所定の整数倍、または該整数倍を、結束のために最小限の範囲で超えた枚数に設定されているため、一時貯留処理の満杯枚数に合わせて入金機構のバラ紙幣を減らすことができ、再開後の処理を考慮して効率的にバラ紙幣を減らすことができる。
【００３１】
請求項８に係る発明によれば、制御部は、入金機構に収納されたバラ紙幣を強制整理処理によって結束収納機構により結束して小束紙幣として収納した後、一時中断していた入金機構による一の入金処理を自動的に再開するため、何らの操作を行わずに入金処理を再開することができる。
【００３２】
請求項９に係る発明によれば、制御部は、一の入金処理の最中に強制整理処理を実行した後の当該一の入金処理の再開後に、入金機構に収納されたバラ紙幣の有り高が、予め設定された第２開始指定枚数以上となった場合には、当該一の入金処理における一時貯留処理と並行して、結束収納機構による通常整理処理を実行するため、強制整理処理が実行されるほど大量の入金があった場合に、強制整理処理の後は、入金処理における一時貯留処理と並行して通常整理処理を行って収納されたバラ紙幣を極力減らしておくことができる。
【００３３】
請求項１０に係る発明によれば、制御部は、結束収納機構による通常整理処理および入金機構による一時貯留処理の並行実行中に、入金機構で一時貯留処理から収納処理に移行する際には、結束収納機構による通常整理処理を一時中断して入金機構による収納処理を実行するため、人が関わる入金処理の一時貯留処理および収納処理を、基本的に人が関わらない通常整理処理に対し優先することになり、人が関わる時間を短縮することができる。
【００３４】
請求項１１に係る発明によれば、制御部は、強制整理処理の実行中に、結束収納機構に収納された小束紙幣の有り高が予め設定された収納満杯束数に達すると、当該強制整理処理を中断するため、結束収納機構に許容量以上の小束紙幣が収納されてしまうことがない。
【００３５】
請求項１２に係る発明によれば、制御部は、強制整理処理の実行中に、小束出金機構による小束出金処理が要求された場合、当該強制整理処理を一時中断して、小束出金機構による小束出金処理を実行するため、人が関わる小束出金処理を、基本的に人が関わらない強制整理処理に対し優先することになり、人が関わる時間を短縮することができる。
【００３６】
請求項１３に係る発明によれば、制御部は、通常整理処理の実行中に、結束収納機構に収納された小束紙幣の有り高が予め設定された収納満杯束数に達すると、当該通常整理処理を中断するため、結束収納機構に許容量以上の小束紙幣が収納されてしまうことがない。
【００３７】
請求項１４に係る発明によれば、制御部は、通常整理処理の実行中に、小束出金機構による小束出金処理が要求された場合、当該通常整理処理を一時中断して、小束出金機構による小束出金処理を実行するため、人が関わる小束出金処理を、基本的に人が関わらない通常整理処理に対し優先することになり、人が関わる時間を短縮することができる。
【００３８】
請求項１５に係る発明によれば、投入されたバラ紙幣を入金機構で収納し、収納したバラ紙幣を結束収納機構で結束して収納可能であることから大量の紙幣を入金可能となるが、このように大量の紙幣を入金可能とし、しかも、入金機構を機体の一の操作面側から操作可能とすることで、一の操作面を顧客側スペースに臨むように配置すれば、顧客が大量の紙幣を入金しようと持ち込んだ場合に、この大量の紙幣を顧客が入金機構を操作して入金できることになる。したがって、顧客が大量の紙幣を入金しようと持ち込んだ場合に、係員が入金を受け付けて入金処理を行う必要がなくなり、係員の業務効率を改善可能となる。他方、小束出金機構が、機体の他の一の操作面側から操作可能とされているため、この他の一の操作面を係員側スペースに臨むように配置すれば、係員が結束収納機構に収納された小束紙幣を出金させることができる。
【００３９】
請求項１６に係る発明によれば、入金機構によって収納されたバラ紙幣をバラのまま出金させるバラ出金機構がさらに設けられているため、小束紙幣のみではなく、バラ紙幣をも出金させることができる。
【００４０】
請求項１７に係る発明によれば、入金機構とバラ出金機構とが、機体の一の操作面側から操作可能とされているため、一の操作面を顧客側スペースに臨むように配置すれば、顧客がバラ紙幣を入金機構を操作して入金でき、またバラ出金機構を操作してバラ紙幣を出金させることができる。他方、小束出金機構が、機体の他の一の操作面側から操作可能とされているため、この他の一の操作面を係員側スペースに臨むように配置すれば、係員が結束収納機構に収納された小束紙幣を出金させることができる。
【００４１】
請求項１８に係る発明によれば、入金機構および小束出金機構が、機体の同一の操作面側から操作可能とされているため、入金処理と小束出金処理とを並行して行う場合等に容易となる。
【発明を実施するための最良の形態】
【００４２】
本発明の一実施形態の紙幣処理機を図面を参照して以下に説明する。
本実施形態の紙幣処理機１１は、銀行等の金融機関の店舗に設置されるものであるが、通常、金融機関の店舗は、顧客が行き来可能な顧客側スペースＳ１と顧客の立ち入りが制限され係員のみが行き来可能な係員側スペースＳ２とに仕切Ｗで区分けされている。そして、本実施形態の紙幣処理機１１は、機体の第１操作面（一の操作面）１１Ａ側を顧客側スペースＳ１に臨ませる一方、第１操作面１１Ａとは反対の第２操作面（他の一の操作面）１１Ｂ側を係員側スペースＳ２に臨ませて設置される。
【００４３】
第１操作面１１Ａ側には、顧客側スペースＳ１にいる人間つまり主として顧客によって機外からバラ紙幣が長手方向を横向きにして投入される紙幣投入部１５と、顧客側スペースＳ１の顧客によって操作されるとともに、顧客に対し表示を行う入金操作表示部（入金操作部）１６とが配置されている。ここで、紙幣投入部１５よりも上側に入金操作表示部１６が設けられている。
【００４４】
紙幣投入部１５の下部には紙幣投入部１５に投入されたバラ紙幣を一枚ずつ分離して機内に繰り出す図示略の分離繰出部が設けられており、この分離繰出部の下側には、分離繰出部で繰り出されたバラ紙幣を搬送する搬送部１８が設けられている。また、搬送部１８の途中には、搬送部１８で搬送中のバラ紙幣の真偽、金種、正損および重送を識別して計数を行う入金識別部１９が設けられており、搬送部１８における入金識別部１９よりも下流側には、バラ紙幣の表裏を適宜反転させる表裏反転部２０が設けられている。表裏反転部２０は、入金識別部１９の識別結果に基づいて適宜バラ紙幣を反転させることでバラ紙幣の表裏を取り揃える。搬送部１８の入金識別部１９よりも下流側からは、分岐搬送部２１が分岐されており、分岐搬送部２１の端末には、入金識別部１９で受け入れ不可紙幣と識別された、真紙幣以外の入金リジェクト紙幣を機外に取り出し可能にリジェクトする入金リジェクト部２２が設けられている。この入金リジェクト部２２は、可動板２２ａで紙幣投入部１５に対し仕切られた状態で紙幣投入部１５と並んで第１操作面１１Ａ側に設けられており、顧客側スペースＳ１にいる顧客によって入金リジェクト紙幣が取り出されるようになっている。
【００４５】
また、搬送部１８の表裏反転部２０よりも下流側には、入金識別部１９で識別されたバラ紙幣のうち入金可能紙幣と識別され表裏反転部２０で適宜表裏が取り揃えられたバラ紙幣を入金識別部１９の識別結果に基づいて振り分ける複数具体的には三カ所の分岐搬送部２３，２４，２５が順に分岐しており、各分岐搬送部２３，２４，２５の端末および搬送路１８の端末には、それぞれ、振り分けられたバラ紙幣を一時貯留させる一時貯留部２７，２８，２９，３０が接続されている。ここで、最も上流側の分岐搬送部２３に接続された一時貯留部２７には、例えば五千円券および二千円券が金種混合で一時貯留されることになり、上流側から二番目の分岐搬送部２４に接続された一時貯留部２８には、例えば千円券のみが一時貯留されることになり、上流側から三番目の分岐搬送部２５に接続された一時貯留部２９には、例えば万円券のみが一時貯留されることになり、搬送部１８の端末に接続された一時貯留部３０には、例えば金種別に分類して収納しきれないオーバーフロー紙幣が一時貯留されることになる。つまり、紙幣処理機１１には、入金識別部１９で識別されたバラ紙幣を一時貯留させる金種別の一時貯留部２８，２９を含む複数の一時貯留部２７，２８，２９，３０が設けられている。
【００４６】
なお、一時貯留部３０の上部には、一時貯留紙幣の入金リジェクト部２２への返却のために一時貯留部３０のバラ紙幣を一枚ずつ分離して繰り出す図示略の繰出部が設けられており、この繰出部で繰り出されたバラ紙幣を搬送する搬送部３６が上記した搬送部１８の入金識別部１９よりも上流側に合流している。つまり、一時貯留部３０のバラ紙幣が搬送部３６から搬送部１８の一部および搬送部２１を介して入金リジェクト部２２へ返却される。
【００４７】
また、一時貯留部２７〜２９の上部にも、一時貯留紙幣の入金リジェクト部２２への返却のために一時貯留部２７〜２９のバラ紙幣を一枚ずつ分離して分岐搬送部２３〜２５の対応するものに繰り出す図示略の繰出部がそれぞれ設けられている。つまり、一時貯留部２７〜２９のバラ紙幣が、分岐搬送路２３〜２５、搬送路１８の一部、連結搬送路３９、搬送路１８の他の一部および分岐搬送部２１を介して入金リジェクト部２２へ返却される。
【００４８】
各一時貯留部２７〜３０のそれぞれの下方には、一対一で対応してバラ紙幣収納部３１，３２，３３，３４が設けられている。ここで、最も上流側の一時貯留部２７の下方に設けられたバラ紙幣収納部３１は、一時貯留部２７からの例えば五千円券および二千円券を金種混合で上部開口を介して受け入れて収納することになり、上流側から二番目の一時貯留部２８の下方に設けられたバラ紙幣収納部３２は、一時貯留部２８からの例えば千円券のみを上部開口を介して受け入れて収納することになり、上流側から三番目の一時貯留部２９の下方に設けられたバラ紙幣収納部３３は、一時貯留部２９からの例えば万円券のみを上部開口を介して受け入れて収納することになり、最も下流側の一時貯留部３０の下方に設けられたバラ紙幣収納部３４は、一時貯留部３０からの、他のバラ紙幣収納部３１，３２，３３に収納しきれないオーバーフロー紙幣を金種混合で上部開口を介して受け入れて収納することになる。つまり、紙幣処理機１１には、金種別の一時貯留部２８，２９に一時貯留されたバラ紙幣を収納する金種別のバラ紙幣収納部３２，３３を含む複数のバラ紙幣収納部３１，３２，３３，３４が設けられている。
【００４９】
なお、オーバーフロー紙幣用のバラ紙幣収納部３４は、一時貯留部３０の上部の図示略の繰出部で、収納したバラ紙幣を再び振り分けるようになっている。つまり、この繰出部でバラ紙幣収納部３４から搬送部３６に繰り出されたバラ紙幣を搬送部１８の一部で搬送し入金識別部１９で識別して、分岐搬送部２３〜２５で各一時貯留部２７，２８，２９に振り分けるようになっている。
【００５０】
ここで、顧客によって紙幣投入部１５にバラ紙幣が投入されて入金操作表示部１６に入金処理開始の操作入力がなされると、制御部３７は、図示略の分離繰出部で紙幣投入部１５からバラ紙幣を繰り出し、入金識別部１９の識別結果に基づいて、搬送部１８および分岐搬送部２１で入金リジェクト紙幣を入金リジェクト部２２に、搬送部１８および分岐搬送部２３〜２５で、受け入れ可能なバラ紙幣を計数しつつ一時貯留部２７〜３０のうちの対応するものに搬送する一時貯留処理を行う。そして、例えば、一時貯留処理が終了して、紙幣投入部１５のバラ紙幣がすべて、入金リジェクト部２２および一時貯留部２７〜３０のいずれかに搬送されると、制御部３７は、入金識別部１９の識別結果を入金操作表示部１６に表示させる。これを見た顧客が、入金操作表示部１６に承認操作を入力すると、制御部３７は、すべての一時貯留部２７〜３０に一時貯留されていたバラ紙幣をバラ紙幣収納部３１〜３４に収納させる収納処理を行うことになる。他方、顧客が入金操作表示部１６にキャンセル操作を入力すると、制御部３７は、すべての一時貯留部２７〜３０からバラ紙幣を入金リジェクト部２２に送り出す。ここで、上記した紙幣投入部１５、入金識別部１９、入金リジェクト部２２、一時貯留部２７〜３０およびバラ紙幣収納部３１〜３４は、制御部３７で制御されることにより、機外から投入されたバラ紙幣を識別して一時貯留させる一時貯留処理および一時貯留されたバラ紙幣を収納する収納処理からなる入金処理を行う入金機構３８を構成している。
【００５１】
金種別のバラ紙幣収納部３２，３３を含むバラ紙幣収納部３１〜３３は、収納しているバラ紙幣をそれぞれの下部に設けられた図示略の繰出部から搬送部４０に繰出可能となっており、搬送部４０には、バラ紙幣の重送の有無を検出する重送検出部４１が設けられている。搬送部４０の端末には、重送検出部４１で重送が検出された結束リジェクト紙幣を収納するリジェクトボックス４２が設けられている。なお、第１操作面１１Ａを機体前面とすると（以下同様）、上記した紙幣投入部１５、入金識別部１９、入金リジェクト部２２、一時貯留部２７〜３０、バラ紙幣収納部３１〜３４、重送検出部４１およびリジェクトボックス４２は、機体左右方向一側具体的には第１操作面１１Ａ側から見て右側に配設されている。
【００５２】
また、搬送部４０には、重送検出部４１よりも下流側かつリジェクトボックス４２よりも上流側から分岐搬送部４４が分岐しており、分岐搬送部４４は、重送検出部４１で識別されたバラ紙幣のうち結束可能紙幣と識別されたバラ紙幣を図２に示す結束部４５に搬送する。
【００５３】
結束部４５は、搬送されてきたバラ紙幣を所定の結束単位枚数（１００枚）ずつ集積して結束テープを巻き回して結束することになり、結束部４５で結束した小束紙幣を、昇降可能な小束振分部４３が金種別の複数具体的には三カ所の小束収納部４６，４７，４８に振り分けて収納させる。これら小束収納部４６，４７，４８は、それぞれが、機体前後方向に沿う状態で、互いに上下方向に重ねられるように設けられている。ここで、例えば、最も上側の小束収納部４６に万円券の小束紙幣が、中間の小束収納部４７にも万円券の小束紙幣が、最も下側の小束収納部４８に千円券の小束紙幣がそれぞれ収納されることになる。つまり、紙幣処理機１１には、バラ紙幣収納部３３，３４に収納されたバラ紙幣を結束する結束部４５と、結束部４５で結束された小束紙幣を振り分ける小束振分部４３と、小束振分部４３で振り分けた小束紙幣を収納する金種別の小束収納部４６，４７，４８とが設けられている。ここで、小束収納部４６，４７，４８は、小束紙幣を長手方向が上下に向くように立てた状態とし厚さ方向を機体前後方向に沿わせた姿勢で機体前側から一束ずつ受け入れて、機体前後方向に重ねるように収納する。ここで、上記した結束部４５、小束振分部４３および小束収納部４６〜４８が、制御部３７で制御されることにより、入金機構３８によって収納されたバラ紙幣を機内で結束して小束紙幣として収納する整理処理を行う結束収納機構４９を構成している。
【００５４】
各金種別の小束収納部４６，４７，４８は、それぞれ収納している小束紙幣を機体後側のものから一束ずつ繰出可能であり、小束収納部４６，４７，４８の機体後側には小束収納部４６，４７，４８から繰り出された小束紙幣を受け入れる昇降可能なエレベータ５０が設けられている。
【００５５】
第２操作面１１Ｂ側には、エレベータ５０が受け入れた小束紙幣をエレベータ５０の上昇で機外に取り出し可能とする開閉可能なシャッタ５３が設けられた小束出金部５１と、小束出金部５１に小束紙幣を出金させるための操作入力が行われる出金操作表示部（出金操作部）５２とが設けられている。つまり、第２操作面１１Ｂ側には、係員側スペースＳ２にいる人間つまり主として係員によって機外へ小束紙幣を出金可能とする小束出金部５１と、係員側スペースＳ２の係員によって操作されるとともに、係員に対し表示を行う出金操作表示部５２とが配置されている。ここで、小束出金部５１よりも上側に出金操作表示部５２が設けられている。なお、エレベータ５０と小束出金部５１とが、制御部３７で制御されることにより、結束収納機構４９によって収納された小束紙幣を機外へ出金する小束出金処理を行う小束出金機構５４を構成している。
【００５６】
なお、上記した結束部４５、小束収納部４６〜４８、小束振分部４３、エレベータ５０および小束出金部５１は、機体左右方向逆側具体的には第１操作面１１Ａ側から見て左側に配設されている。
【００５７】
ここで、制御部３７は、金種別のバラ紙幣収納部３２，３３からバラ紙幣を繰り出させて、結束リジェクト紙幣を搬送部４０でリジェクトボックス４２に、結束可能紙幣を搬送部４０および分岐搬送部４４で結束部４５に搬送する。そして、結束部４５に搬送されたバラ紙幣が結束単位枚数になると、制御部３７は結束部４５でバラ紙幣を結束させて、小束収納部４６〜４８のうちの対応する金種のものに収納させることになる。
【００５８】
また、係員によって出金操作表示部５２に出金設定の操作入力がなされると、制御部３７が、小束収納部４６〜４８から、設定された小束紙幣をエレベータ５０に繰り出させエレベータ５０で運んで小束出金部５１から機外に取り出し可能に出金させることになる。
【００５９】
次に、制御部３７の制御内容について説明する。
上記したように、顧客によって紙幣投入部１５にバラ紙幣が投入されて入金操作表示部１６に一の入金処理の開始操作の入力がなされると、制御部３７は、一の入金処理を開始して、紙幣投入部１５のバラ紙幣のうち、入金リジェクト紙幣を入金リジェクト部２２に、受け入れ可能なバラ紙幣を一時貯留部２７〜３０のうちの対応するものに搬送する一時貯留処理を行う。そして、この一時貯留処理による入金識別部１９の識別結果を入金操作表示部１６に表示させ、顧客により入金操作表示部１６に収納承認操作が入力されると、制御部３７は、すべての一時貯留部２７〜３０に一時貯留されていたバラ紙幣をバラ紙幣収納部３１〜３４に収納させる収納処理を行うことになる。なお、場合により、上記の一時貯留処理および収納処理を複数回行う。そして、この一の入金処理の終了承認操作の入力が入金操作表示部１６に入力されると、一の入金処理が終了する。
【００６０】
一の入金処理の終了直後の時点で、制御部３７は、入金機構３８の金種別のバラ紙幣収納部３２，３３に収納されたバラ紙幣の有り高をそれぞれ確認するバラ紙幣有り高確認処理を行い、バラ紙幣収納部３２，３３のうちのいずれかで、バラ紙幣の収納枚数が予め設定された第１開始指定枚数（開始指定枚数）ＳＴ１以上となっているか否かを判定する。ここで、この第１開始指定枚数ＳＴ１は、小束紙幣とするのに必要な結束単位枚数である１００枚を整数Ｌ倍したものに、結束部４５に送る際に重送等のリジェクト紙幣の発生を考慮した余裕分αを加算した値に設定される。つまり、第１開始指定枚数ＳＴ１＝１００×Ｌ＋αに設定される。ここで、この式のＬは、２以上の整数で、好ましくは３に設定され、ＳＴ１＝３００＋α（例えばＳＴ１＝４００）に設定される。
【００６１】
上記判定で、バラ紙幣収納部３２，３３のうちのいずれかで、バラ紙幣が予め設定された第１開始指定枚数ＳＴ１以上となっている場合に、制御部３７は、バラ紙幣収納部３２，３３の該当するものから、自動的に、バラ紙幣を結束収納機構４９の結束部４５に繰り出させて、結束部４５により結束し小束紙幣として金種別の小束収納部４６，４７，４８に収納する通常整理処理を実行する。このとき、重送検出部４１で検出された重送等の結束リジェクト紙幣をリジェクトボックス４２に送り、それ以外の結束可能紙幣を結束収納機構４９に送ることになる。なお、上記一の入金処理の途中では、バラ紙幣が予め設定された第１開始指定枚数ＳＴ１以上となってもそのまま入金処理を続ける。
【００６２】
つまり、一の入金処理の終了直後の時点で、バラ紙幣収納部３２に収納されたバラ紙幣の有り高が第１開始指定枚数ＳＴ１以上となっている場合に、このバラ紙幣収納部３２に収納されたバラ紙幣を結束収納機構４９で結束して小束収納部４８に収納する通常整理処理を実行する。また、バラ紙幣収納部３３に収納されたバラ紙幣の有り高が第１開始指定枚数ＳＴ１以上となっている場合に、このバラ紙幣収納部３３に収納されたバラ紙幣を結束収納機構４９で結束して小束収納部４６，４７のいずれかに収納する通常整理処理を実行する。勿論、バラ紙幣収納部３２，３３の両方でバラ紙幣が第１開始指定枚数以上となっている場合には、自動的に適宜の順番で通常整理処理を実行することになる。
【００６３】
ここで、制御部３７は、上記した通常整理処理時に、金種別のバラ紙幣収納部３２，３３のうちの通常整理処理が行われるものに対して、通常整理処理後のバラ紙幣の有り高が、予め設定された終了指定枚数ＳＰを下回ることがないと予想される範囲で、バラ紙幣を結束収納機構４９に送り出し、結束収納機構４９で結束して小束紙幣として収納する。上記した終了指定枚数ＳＰは、例えば、ＳＰ＝１００枚×Ｍに設定され、この式のＭは、１以上の整数であり、好ましくは１に設定される（つまりＳＰ＝１００枚）。なお、終了指定枚数ＳＰは、結束収納機構４９に送る際に重送等の結束リジェクト紙幣の発生がないと仮定した場合にバラ紙幣収納部３２，３３のそれぞれに最小限残そうとする枚数で、結束リジェクト紙幣が発生した場合に、バラ紙幣収納部３２，３３のそれぞれに残る枚数は、実際には終了指定枚数ＳＰを下回る可能性もある。言い換えれば、リジェクト紙幣が発生することで終了指定枚数ＳＰを下回ったとしても０となることがないように終了指定枚数ＳＰが設定される。そして、金種別のバラ紙幣収納部３２，３３のうちの通常整理処理が行われるものから、残るバラ紙幣の枚数が終了指定枚数ＳＰを下回ることがないと予想できる範囲で、可能な限り多くの束数Ｎの小束紙幣を作成できるように、束数Ｎ×結束単位枚数であるＮ×１００枚のバラ紙幣を結束収納機構４９の結束部４５に送り込むことになる。
【００６４】
結束部４５では、結束単位枚数である１００枚が送り込まれる毎にバラ紙幣を結束することになり、このように結束された小束紙幣を小束振分部４３が小束収納部４６〜４８の中の対応するものに収納させることになる。このようにして、バラ紙幣収納部３２，３３に収納されているバラ紙幣の量を減らしておき、バラ紙幣収納部３２，３３のバラ紙幣収納スペースを空けておくことになる。
【００６５】
そして、繰り返し行われる一の入金処理毎に、以上のようなバラ紙幣有り高確認処理を行うことになり、バラ紙幣収納部３２，３３のうちのいずれかで、予め設定された第１開始指定枚数ＳＴ１以上となっていれば、その都度、通常整理処理を行う。
【００６６】
ここで、入金処理のうちの一時貯留処理を行う紙幣投入部１５、入金識別部１９、入金リジェクト部２２および一時貯留部２７〜３０と、整理処理を行うバラ紙幣収納部３２，３３、重送検出部４１、結束部４５、小束振分部４３および小束収納部４６〜４８とは、処理上完全に分離されているため、制御部３７は、結束部４５、小束振分部４３および小束収納部４６〜４８からなる結束収納機構４９による上記した通常整理処理中に、次の一の入金処理のためのバラ紙幣が紙幣投入部１５に投入され、入金操作表示部１６に入金処理開始の操作入力がなされ、紙幣投入部１５、入金識別部１９、入金リジェクト部２２および一時貯留部２７〜３０を有する入金機構３８による一時貯留処理が要求された場合、一時貯留処理を並行して実行することになる。
【００６７】
そして、上記した次の一の入金処理の一時貯留処理が終了し、入金操作表示部１６に収納承認操作が入力されると、制御部３７は、先の一の入金処理に関連した通常整理処理が終了している場合には、一時貯留部２７〜３０からバラ紙幣収納部３１〜３４にバラ紙幣を収納させることになる。
【００６８】
他方、収納承認操作が入力された時点で、先の一の入金処理に関連した通常整理処理が終了していない場合、つまり、結束収納機構４９による通常整理処理および入金機構３８による一時貯留処理の並行実行中に、収納承認操作が入力され、入金機構３８で一時貯留処理から収納処理に移行する際には、入金処理のうちの収納処理を行うバラ紙幣収納部３１〜３４が、整理処理と処理上重なっているため、収納処理と通常整理処理とを並行して行うことができない。このため、制御部３７は、結束収納機構４９による通常整理処理を一時中断して入金機構３８による収納処理を実行する。つまりバラ紙幣収納部３２，３３の通常整理処理中のものからのバラ紙幣の繰り出しを中断して一時貯留部２７〜３０からバラ紙幣収納部３１〜３４にバラ紙幣を収納させる。そして、収納処理が終了すると、制御部３７は、一時中断していた通常整理処理つまりバラ紙幣収納部３２，３３の通常整理処理中のものからのバラ紙幣の繰り出しを再開させる。なお、結束収納機構４９による通常整理処理の一時中断時には、バラ紙幣収納部３１〜３４からの新たなバラ紙幣の繰り出しは禁止するものの、既に繰り出されたバラ紙幣は、結束部４５まで送ることになる。上記した次の一の入金処理の一時貯留処理が終了し、入金操作表示部１６にキャンセル操作が入力された場合には、制御部３７は、先の一の入金処理に関連した通常整理処理が終了しているか否かに拘わらず、一時貯留部２７〜３０から入金リジェクト部２２にバラ紙幣を送り出す。
【００６９】
また、入金機構３８による一の入金処理の一時貯留処理中に、一時貯留部２７〜３０のいずれかでバラ紙幣が満杯と判断できる一時貯留満杯枚数ＩＦ（例えば３００枚）に達すると、一旦、一時貯留処理を停止させ、例えば入金操作表示部１６に収納承認操作が入力されたことを条件として、一時貯留部２７〜３０のバラ紙幣をバラ紙幣収納部３１〜３４に収納させる収納処理を行った後、一時貯留処理を再開させることになり、このような一時貯留処理および収納処理を一の入金処理で適宜の回数繰り返すことがある。つまり、入金操作表示部１６に対し、一の入金処理の開始操作が入力されてからこの一の入金処理の終了承認操作が入力されるまでの一の入金処理の間に、例えばバラ紙幣の追加投入等があって、大量のバラ紙幣が入金される場合、例え直前に上記のような通常整理処理を行ってバラ紙幣収納部３２，３３のバラ紙幣収納スペースを空けていても、入金機構３８のバラ紙幣収納部３２，３３のいずれかに収納されたバラ紙幣の有り高が、バラ紙幣が満杯と判断できる予め設定された収納満杯枚数ＳＦ（例えば１０００枚）に達することがある。このような場合には、入金機構３８による当該一の入金処理を一時中断して、入金機構３８のバラ紙幣収納部３２，３３のうちの満杯となったものに収納されたバラ紙幣を結束収納機構４９により結束して小束紙幣として収納する強制整理処理を実行する。
【００７０】
つまり、一の入金処理の途中で、バラ紙幣収納部３２に収納されたバラ紙幣の有り高が収納満杯枚数ＳＦとなった場合に、このバラ紙幣収納部３２に収納されたバラ紙幣を結束収納機構４９で結束して小束収納部４８に収納する強制整理処理を実行する。また、バラ紙幣収納部３３に収納されたバラ紙幣の有り高が収納満杯枚数ＳＦとなった場合に、このバラ紙幣収納部３３に収納されたバラ紙幣を結束収納機構４９で結束して小束収納部４６，４７のいずれかに収納する強制整理処理を実行する。
【００７１】
ここで、制御部３７は、上記した強制整理処理時に、入金機構３８のバラ紙幣収納部３２，３３のうちの満杯となったものに収納されたバラ紙幣のうち、予め設定された強制整理束数分の強制結束枚数Ｋのバラ紙幣を結束収納機構４９により結束して小束紙幣として収納させる。この強制整理束数分のバラ紙幣の強制結束枚数Ｋは、入金機構３８における一時貯留処理の予め設定された一時貯留満杯枚数（つまり各一時貯留部２７〜３０のそれぞれの満杯枚数）ＩＦ（例えば３００枚）の所定の整数倍（例えば２倍）の枚数（例えば６００枚）とされており、この枚数のバラ紙幣を結束収納機構４９の結束部４５に送り込むことになる。なお、この場合は、一時貯留満杯枚数ＩＦの所定の整数倍が、結束単位枚数（１００枚）の倍数になっているため、所定の整数倍としたが、そうでない場合は、強制結束枚数Ｋは、一時貯留満杯枚数ＩＦの所定の整数倍の枚数を、結束単位枚数の倍数にできる最小限の範囲で超えた枚数に設定される。
【００７２】
そして、制御部３７は、上記した強制整理処理によって予め設定された強制整理束数の小束紙幣を小束収納部４６〜４８のいずれか対応するものに収納した後に、前記一時中断していた入金機構３８による一の入金処理を自動的に再開する。つまり、紙幣投入部１５に残っているバラ紙幣から、入金リジェクト紙幣を入金リジェクト部２２に、受け入れ可能なバラ紙幣を一時貯留部２７〜３０のうちの対応するものに搬送する。このように一の入金処理の最中に強制整理処理を実行した後の当該一の入金処理の再開後に、制御部３７は、入金機構３８のバラ紙幣収納部３２，３３のうち強制整理処理が行われたもののバラ紙幣の有り高が、予め設定された第２開始指定枚数ＳＴ２（例えば６００枚）以上となった場合には、当該一の入金処理における一時貯留処理と並行して、結束収納機構４９による上記と同様の通常整理処理を実行する。つまり、一の入金処理において、バラ紙幣収納部３２，３３のうち強制整理処理が行われて一時貯留満杯枚数ＩＦ（例えば１０００枚）から強制結束枚数Ｋ（例えば６００枚）分だけ減らされているものについて、同じ一の入金処理におけるその後の一時貯留処理から収納処理で、バラ紙幣の有り高が第２開始指定枚数ＳＴ２（例えば６００枚）に達すると、その後に行われる一時貯留処理に並行して、このバラ紙幣収納部のバラ紙幣を結束収納機構４９による通常整理処理で結束して収納させる。つまり、バラ紙幣収納部３２，３３のうちの通常整理処理が行われるものに対して、通常整理処理後のバラ紙幣の有り高が、予め設定された終了指定枚数ＳＰを下回ることがないと予想される範囲で、バラ紙幣を結束収納機構４９に送り出し、結束収納機構４９により結束して小束紙幣として収納する。
【００７３】
制御部３７は、このような結束収納機構４９による通常整理処理および入金機構３８による一時貯留処理の並行実行中に、入金機構３８で一時貯留処理から収納処理に移行する際には、結束収納機構４９による通常整理処理を一時中断して入金機構３８による収納処理を実行することになる。つまりバラ紙幣収納部３２，３３の通常整理処理中のものからのバラ紙幣の繰り出しを中断して一時貯留部２７〜３０からバラ紙幣収納部３１〜３４にバラ紙幣を収納させる。そして、収納処理が終了すると、制御部３７は、一時中断していた通常整理処理つまりバラ紙幣収納部３２，３３の通常整理処理中のものからの繰り出しを自動的に再開させる。
【００７４】
また、制御部３７は、上記した強制整理処理の実行中に、結束収納機構４９の小束収納部４６，４７の両方、または小束収納部４８に収納された小束紙幣の有り高がそれぞれに対し予め設定された収納満杯束数に達すると、当該強制整理処理を中断して、警報を発生させることになる。これにより、係員が小束収納部４６〜４８のいずれか満杯のものから適宜小束紙幣を取り出して満杯を解除することになり、これを受けて、制御部３７は強制整理処理を再開させる。
【００７５】
さらに、制御部３７は、上記したいずれの通常整理処理の実行中においても、結束収納機構４９の小束収納部４６，４７の両方、または小束収納部４８に収納された小束紙幣の有り高がそれぞれに対し予め設定された収納満杯束数に達すると、当該通常整理処理を中断して、警報を発生させることになる。これにより、係員が小束収納部４６〜４８のいずれか満杯のものから適宜小束紙幣を取り出して満杯を解除することになり、これを受けて、制御部３７は通常整理処理を再開させる。
【００７６】
加えて、制御部３７は、上記した強制整理処理の実行中に、出金操作表示部５２への操作入力で小束出金機構５４による小束出金処理が要求された場合、当該強制整理処理を一時中断して、小束出金機構５４による小束出金処理を実行する。つまり、係員によって出金操作表示部５２に出金設定の操作入力がなされると、制御部３７は、小束振分部４３から小束収納部４６〜４８への振り分けを禁止するとともに、小束収納部４６〜４８から、設定された小束紙幣をエレベータ５０に繰り出させエレベータ５０で運んで小束出金部５１から機外に取り出し可能に出金させることになる。ここで、エレベータ５０には複数の小束紙幣が受け入れ可能であり、複数の小束紙幣を同時に出金可能となっている。そして、設定された小束紙幣がすべて機外に取り出されると、制御部３７は、一時中断していた強制整理処理を自動的に再開させる。
【００７７】
また、制御部３７は、上記したいずれの通常整理処理の実行中においても、出金操作表示部５２への操作入力で小束出金機構５４による小束出金処理が要求された場合、上記強制整理処理の実行中と同様に、当該通常整理処理を一時中断して、小束出金機構５４による小束出金処理を実行し、実行後に、一時中断していた通常整理処理を自動的に再開させる。
【００７８】
次に、以上の制御部３７の制御内容を千円券を例にとり、より具体的に説明する。勿論、万円券の場合も一時貯留、バラ収納および小束収納の対象が異なる以外は同様である。
【００７９】
まず、通常整理処理を行う場合について説明する。
【００８０】
バラ紙幣収納部３１〜３４のそれぞれの収納容量ＣをＣ＝１０００枚とし、一時貯留部２７〜３０のそれぞれの収納容量ＰをＰ＝３００枚とし、バラ紙幣収納部３１〜３４のそれぞれの収納量をＸとすると、バラ紙幣収納部３１〜３４のそれぞれの収納可能容量ＹはＹ＝Ｃ−Ｘとなる。また、第１開始指定枚数ＳＴ１がＳＴ１＝４００枚に設定され、終了指定枚数ＳＰがＳＰ＝１００枚に設定されているものとする。
【００８１】
そして、千円券用のバラ紙幣収納部３２の現在の収納量Ｘ＝２５０枚とし、大口入金者による一の入金処理の千円券の入金予定枚数が５００枚であるとする。このとき、当初のバラ紙幣収納部３２の収納可能容量Ｙ＝１０００−２５０＝７５０＞Ｐである。まず、紙幣投入部１５に上記した千円券５００枚を含むバラ紙幣が投入されて入金操作表示部１６に一の入金処理の開始操作が入力されると、制御部３７は、この一の入金処理において、収納容量Ｐ分の枚数つまり一時貯留満杯枚数である３００枚のバラ紙幣を千円券用の一時貯留部２８に一時貯留させた段階で、一時貯留処理を中断し、一時貯留紙幣の収納についての収納承認操作が入金表示操作部１６に入力されると、千円券用の一時貯留部２８から千円券用のバラ紙幣収納部３２にバラ紙幣を収納させる収納処理を行う。このとき、すべての一時貯留部２７〜３０のバラ紙幣をバラ紙幣収納部３１〜３４の対応するものに収納させることになる。
【００８２】
上記の収納処理が終了すると、制御部３７は、千円券用のバラ紙幣収納部３２の収納量ＸをＸ＝２５０＋３００＝５５０枚に更新し、また、このバラ紙幣収納部３２の収納可能容量ＹをＹ＝１０００−５５０＝４５０枚に更新する。
【００８３】
ここで、バラ紙幣収納部３２の収納量Ｘ＝５５０枚が、第１開始指定枚数ＳＴ１＝４００枚を超えているが、一の入金処理中であるため、制御部３７は通常整理処理および強制整理処理を起動することはない。
【００８４】
上記した収納処理の終了後、制御部３７は、一の入金処理の続きとして、中断した一時貯留処理を再開させ、残りの２００枚のバラ紙幣について、このときの収納可能容量Ｙ＝１０００−５５０＝４５０＞Ｐであることから、すべて一時貯留部２８に一時貯留させる。そして、一時貯留紙幣の収納についての収納承認操作が入金表示操作部１６に入力されると、一時貯留部２８からバラ紙幣収納部３２にバラ紙幣を収納させる収納処理を行う。このときも、すべての一時貯留部２７〜３０のバラ紙幣をバラ紙幣収納部３１〜３４の対応するものに収納させることになる。そして、例えば、この時点ですべてのバラ紙幣の収納が終了し、この一の入金処理に対する終了承認操作の入力がなされると、一の入金処理が終了する。
【００８５】
この一の入金処理の終了時点で、制御部３７は、バラ紙幣収納部３２の収納量ＸをＸ＝５５０＋２００＝７５０枚に更新し、また、このバラ紙幣収納部３２の収納可能容量ＹをＹ＝１０００−７５０＝２５０枚に更新する。
【００８６】
ここで、バラ紙幣収納部３２の収納量Ｘ＝７５０枚が、第１開始指定枚数ＳＴ１＝４００枚を超えており、しかも一の入金処理が終了しているため、制御部３７は通常整理処理を起動する。
【００８７】
この通常整理処理にあっては、バラ紙幣収納部３２の収納量ＸがＸ＝７５０枚であるため、終了指定枚数ＳＰ＝１００を下回らない束数Ｎは、Ｚ＝（Ｘ−ＳＰ）／１００を超えない整数値となり、Ｚ＝（７５０−１００）／１００＝６．５となって、Ｎ＝６が、通常整理処理で結束される束数として設定される。そして、制御部３７が、バラ紙幣収納部３２からのバラ紙幣を結束部４５で１００枚ずつ結束して小束紙幣とし、このような小束紙幣をＮ＝６束だけ作成して千円券用の小束収納部４８に収納させる。
【００８８】
この通常整理処理中に、紙幣投入部１５にバラ紙幣が投入されて入金操作表示部１６に次の一の入金処理の開始操作が入力される（次の一の入金処理の要求がある）と、制御部３７は、次の一の入金処理の一時貯留処理を通常整理処理と並行して行う。但し、その後、入金機構３８による収納処理が要求された場合には、起動中の通常整理処理を一時中断して、入金機構３８による収納処理を実行する。
【００８９】
次に、強制整理処理を行う場合について説明する。
【００９０】
上記と同様に、千円券用のバラ紙幣収納部３２の収納量ＸがＸ＝２５０枚のとき、大口入金者による一の入金処理の千円券の入金予定枚数が９００枚であるとする。このとき、上記と同様に、当初のバラ紙幣収納部３２の収納可能容量Ｙ＝１０００−２５０＝７５０＞Ｐである。まず、紙幣投入部１５に追加投入を含めて上記した千円券９００枚を含むバラ紙幣が投入されて入金操作表示部１６に一の入金処理の開始操作が入力されると、制御部３７は、この一の入金処理において、収納容量Ｐ分の枚数である３００枚のバラ紙幣を千円券用の一時貯留部２８に一時貯留させた段階で、一時貯留処理を中断し、一時貯留紙幣の収納についての収納承認操作が入金表示操作部１６に入力されると、千円券用の一時貯留部２８から千円券用のバラ紙幣収納部３２にバラ紙幣を収納させる収納処理を行う。このとき、すべての一時貯留部２７〜３０のバラ紙幣をバラ紙幣収納部３１〜３４の対応するものに収納させることになる。
【００９１】
この収納処理が終了すると、制御部３７は、千円券用のバラ紙幣収納部３２の収納量ＸをＸ＝２５０＋３００＝５５０枚に更新し、また、このバラ紙幣収納部３２の収納可能容量ＹをＹ＝１０００−５５０＝４５０枚＞Ｐに更新する。
【００９２】
ここで、バラ紙幣収納部３２の収納量Ｘ＝５５０枚が、第１開始指定枚数ＳＴ１＝４００枚を超えているが、一の入金処理中であるため、制御部３７は通常整理処理および強制整理処理を起動することはない。
【００９３】
この収納処理の終了後、制御部３７は、一の入金処理の続きとして、中断した一時貯留処理を再開させ、次の３００枚のバラ紙幣を千円券用の一時貯留部２８に一時貯留させた段階で、一時貯留処理を中断し、一時貯留紙幣の収納についての収納承認操作が入金表示操作部１６に入力されると、千円券用の一時貯留部２８から千円券用のバラ紙幣収納部３２にバラ紙幣を収納させる収納処理を行う。このときも、すべての一時貯留部２７〜３０のバラ紙幣をバラ紙幣収納部３１〜３４の対応するものに収納させることになる。
【００９４】
この収納処理が終了すると、制御部３７は、千円券用のバラ紙幣収納部３２の収納量ＸをＸ＝５５０＋３００＝８５０枚に更新し、また、このバラ紙幣収納部３２の収納可能容量ＹをＹ＝１０００−８５０＝１５０枚＜Ｐに更新する。
【００９５】
ここでも、バラ紙幣収納部３２の収納量Ｘ＝８５０枚が、第１開始指定枚数ＳＴ１＝４００枚を超えているが、一の入金処理中であるため、制御部３７は通常整理処理および強制整理処理を起動することはない。
【００９６】
この収納処理の終了後、制御部３７は、一の入金処理の続きとして、中断した一時貯留処理を再開させるが、この時点で、バラ紙幣収納部３２の収納可能容量ＹがＹ＝１５０枚＜Ｐとなっているので、次の３００枚のバラ紙幣のうち千円券用のバラ紙幣収納部３２の収納可能容量Ｙに相当する１５０枚のバラ紙幣を千円券用の一時貯留部２８に一時貯留させた段階で、一時貯留処理を中断し、一時貯留紙幣の収納についての収納承認操作が入金表示操作部１６に入力されると、千円券用の一時貯留部２８から千円券用のバラ紙幣収納部３２にバラ紙幣を収納させる収納処理を行う。このときも、すべての一時貯留部２７〜３０のバラ紙幣をバラ紙幣収納部３１〜３４の対応するものに収納させることになる。
【００９７】
この収納処理が終了すると、制御部３７は、千円券用のバラ紙幣収納部３２の収納量ＸをＸ＝８５０＋１５０＝１０００枚に更新し、また、このバラ紙幣収納部３２の収納可能容量ＹをＹ＝１０００−１０００＝０枚に更新する。
【００９８】
ここで、一の入金処理中であるものの、バラ紙幣収納部３２の収納量Ｘ＝１０００枚が収納容量Ｃに達したため、制御部３７は強制整理処理を起動することになる。
【００９９】
この強制整理処理にあっては、千円券用の一時貯留部２８の一時貯留満杯枚数である収納容量Ｐ＝３００枚の所定の整数倍、具体的には２倍の６００枚つまり６束分のバラ紙幣を、満杯のバラ紙幣収納部３２から結束部４５に送り込む。なお、この例では一時貯留満杯枚数である一時貯留部２８の収納容量が３００枚で、結束単位枚数１００枚のちょうど倍数となっているため、所定の整数倍としたが、例えば、一時貯留部２８の収納容量が３３０枚で、結束単位枚数１００枚のちょうど倍数となっていない場合は、所定の整数倍、例えば２倍の６６０枚に、結束単位枚数１００枚の倍数とするための必要最小限の枚数である４０枚分を加えた７００枚（所定の整数倍を、結束のために最小限の範囲で超えた枚数）つまり７束分のバラ紙幣を、満杯のバラ紙幣収納部３２から結束部４５に送り込むことになる。
【０１００】
そして、バラ紙幣収納部３２からのバラ紙幣を結束部４５で１００枚ずつ結束して小束紙幣とし、このような小束紙幣を６束だけ作成して千円券用の小束収納部４８に収納させる。これは、強制整理処理を必要とするような大口入金が発生したため、一時貯留部２８の収納容量Ｐの倍数相当の枚数分を結束すれば、その後に入金処理を再開しても、一時貯留部２８の収納容量Ｐ分の入金処理が可能となり、効率的な入金処理が期待できるためである。
【０１０１】
そして、上記したように、６束の小束紙幣の結束収納処理が終了すると、制御部３７は、千円券用のバラ紙幣収納部３２の収納量ＸをＸ＝１０００−６００＝４００枚に更新し、また、このバラ紙幣収納部３２の収納可能容量Ｙ＝１０００−４００＝６００枚に更新して強制整理処理を終了する。
強制整理処理中、強制整理処理が終了するまで入金処理は中断される。
【０１０２】
強制整理処理の終了後、制御部３７は、一の入金処理の続きとして、中断した一時貯留処理を自動的に再開させ、残りの１５０枚のバラ紙幣を千円券用の一時貯留部２８に一時貯留させた後、一時貯留紙幣の収納についての収納承認操作が入金表示操作部１６に入力されると、千円券用の一時貯留部２８から千円券用のバラ紙幣収納部３２にバラ紙幣を収納させる収納処理を行う。このときも、すべての一時貯留部２７〜３０のバラ紙幣をバラ紙幣収納部３１〜３４の対応するものに収納させることになる。その後、この一の入金処理に対する終了承認操作の入力により、一の入金処理が終了する。
【０１０３】
ここで、制御部３７は、上記のように、一度、強制整理処理を実行し終了した後にあっては、一の入金処理が終了する前であっても、バラ紙幣収納部３２の収納量Ｘが第２開始指定枚数ＳＴ２の６００枚を超えたと判断された時には、一の入金処理と並行して上記した通常整理処理を実行する。これにより、非常に大量の大口入金が行われても、適宜、適切に結束収納処理が行われて、入金処理の停止回数、時間が低減される。
【０１０４】
なお、結束収納処理を行っている金種紙幣の小束収納庫４８が満杯になった場合に、制御部３７は、入金処理も、整理処理つまり通常整理処理および強制整理処理のいずれも、中断する。
【０１０５】
また、通常整理処理または強制整理処理が起動中に、小束出金機構５４による小束出金処理が要求された場合、制御部３７は、起動中の通常整理処理または強制整理処理を中断し、小束出金機構５４による小束出金処理を実行する。
【０１０６】
以上に述べた本実施形態の紙幣処理機１１によれば、制御部３７は、入金機構３８による一の入金処理の終了後に、入金機構３８に収納されたバラ紙幣の有り高が、予め設定された第１開始指定枚数ＳＴ１以上となっている場合に、入金機構３８に収納されたバラ紙幣を結束収納機構４９により結束して小束紙幣として収納する通常整理処理を自動的に実行するため、各入金処理後に入金機構３８に収納されたバラ紙幣を極力減らして大量の紙幣の入金に備えておくことができる。したがって、入金処理中に入金処理を一旦中断してバラ紙幣を結束する整理処理を行うといった状況になり難く、入金処理の時間を短縮することができる。
【０１０７】
また、制御部３７は、通常整理処理時に、当該通常整理処理後の入金機構３８のバラ紙幣の有り高が、予め設定された終了指定枚数ＳＰを下回ることがないと予想される範囲で、入金機構３８に収納されたバラ紙幣を結束収納機構４９により結束して小束紙幣として収納するため、例えば終了指定枚数として結束に必要な枚数のバラ紙幣を結束収納機構４９に余裕を持って送ることができる枚数を設定しておくことで、結束単位枚数に対し不足した枚数のバラ紙幣を結束収納機構４９に送ってしまうことを防止できる。
【０１０８】
さらに、制御部３７は、結束収納機構４９による通常整理処理中に、入金機構３８による一時貯留処理が要求された場合、一時貯留処理を並行して実行するため、通常整理処理の終了を待たずに入金処理を開始することができる。したがって、通常整理処理中でも入金処理を進めることができる。
【０１０９】
加えて、制御部３７は、結束収納機構４９による通常整理処理および入金機構３８による一時貯留処理の並行実行中に、入金機構３８で一時貯留処理から収納処理に移行する際には、結束収納機構４９による通常整理処理を一時中断して入金機構３８による収納処理を実行するため、人が関わる入金処理の一時貯留処理および収納処理を、基本的に人が関わらない通常整理処理に対し優先することになり、人が関わる時間を短縮することができる。
【０１１０】
また、制御部３７は、入金機構３８による一の入金処理中に、入金機構３８に収納されたバラ紙幣の有り高が、予め設定された収納満杯枚数に達すると、入金機構３８による当該一の入金処理を一時中断して、入金機構３８に収納されたバラ紙幣を結束収納機構４９により結束して小束紙幣として収納する強制整理処理を自動的に実行するため、例え入金機構３８のバラ紙幣が満杯になっても、何らの操作を行わずに自動的に結束してバラ紙幣を減らすことができ、入金処理を継続することができる。
【０１１１】
さらに、強制整理処理は、入金機構３８に収納されたバラ紙幣のうち、予め設定された強制整理束数分の枚数のバラ紙幣を結束収納機構４９により結束して小束紙幣として収納するため、この強制整理束数分のバラ紙幣の枚数を、入金機構３８における一時貯留処理の予め設定された一時貯留満杯枚数の所定の整数倍、またはこの整数倍を、結束のために最小限の範囲で超えた枚数に設定することで、一時貯留処理の満杯枚数に合わせて入金機構３８のバラ紙幣を減らすことができ、再開後の処理を考慮して効率的にバラ紙幣を減らすことができる。
【０１１２】
また、制御部３７は、入金機構３８に収納されたバラ紙幣を強制整理処理によって結束収納機構４９により結束して小束紙幣として収納した後、一時中断していた入金機構３８による一の入金処理を自動的に再開するため、何らの操作を行わずに入金処理を再開することができる。
【０１１３】
さらに、制御部３７は、一の入金処理の最中に強制整理処理を実行した後の当該一の入金処理の再開後に、入金機構３８に収納されたバラ紙幣の有り高が、予め設定された第２開始指定枚数以上となった場合には、当該一の入金処理における一時貯留処理と並行して、結束収納機構４９による通常整理処理を実行するため、強制整理処理が実行されるほど大量の入金があった場合に、強制整理処理の後は、入金処理における一時貯留処理と並行して通常整理処理を行って収納されたバラ紙幣を極力減らしておくことができる。
【０１１４】
加えて、制御部３７は、結束収納機構４９による通常整理処理および入金機構３８による一時貯留処理の並行実行中に、入金機構３８で一時貯留処理から収納処理に移行する際には、結束収納機構４９による通常整理処理を一時中断して入金機構３８による収納処理を実行するため、人が関わる入金処理の一時貯留処理および収納処理を、基本的に人が関わらない通常整理処理に対し優先することになり、人が関わる時間を短縮することができる。
【０１１５】
また、制御部３７は、強制整理処理の実行中に、結束収納機構４９に収納された小束紙幣の有り高が予め設定された収納満杯束数に達すると、当該強制整理処理を中断するため、結束収納機構４９に許容量以上の小束紙幣が収納されてしまうことがない。
【０１１６】
さらに、制御部３７は、強制整理処理の実行中に、小束出金機構５４による小束出金処理が要求された場合、当該強制整理処理を一時中断して、小束出金機構５４による小束出金処理を実行するため、人が関わる小束出金処理を、基本的に人が関わらない強制整理処理に対し優先することになり、人が関わる時間を短縮することができる。
【０１１７】
加えて、制御部３７は、通常整理処理の実行中に、結束収納機構４９に収納された小束紙幣の有り高が予め設定された収納満杯束数に達すると、当該通常整理処理を中断するため、結束収納機構４９に許容量以上の小束紙幣が収納されてしまうことがない。
【０１１８】
また、制御部３７は、通常整理処理の実行中に、小束出金機構５４による小束出金処理が要求された場合、当該通常整理処理を一時中断して、小束出金機構５４による小束出金処理を実行するため、人が関わる小束出金処理を、基本的に人が関わらない通常整理処理に対し優先することになり、人が関わる時間を短縮することができる。
【０１１９】
さらに、投入されたバラ紙幣を入金機構３８で収納し、収納したバラ紙幣を結束収納機構４９で結束して収納可能であることから大量の紙幣を入金可能となるが、このように大量の紙幣を入金可能とし、しかも、入金機構３８を機体の第１操作面１１Ａ側から操作可能とすることで、上記のように第１操作面１１Ａを顧客側スペースＳ１に臨むように配置することで、顧客が大量の紙幣を入金しようと持ち込んだ場合に、この大量の紙幣を顧客が入金機構３８を操作して入金できることになる。したがって、顧客が大量の紙幣を入金しようと持ち込んだ場合に、係員が入金を受け付けて入金処理を行う必要がなくなり、係員の業務効率を改善可能となる。他方、小束出金機構５４が、機体の第２操作面１１Ｂ側から操作可能とされているため、上記のようにこの第２操作面１１Ｂを係員側スペースＳ２に臨むように配置することで、係員が結束収納機構４９に収納された小束紙幣を出金させることができる。
【０１２０】
なお、上記実施形態においては、顧客と係員とで共用する紙幣処理機１１を例にとり説明したが、係員専用として、上記した入金機構３８の入金操作表示部１６および紙幣投入部１５と、小束出金機構５４の束出金部５１および出金操作表示部５２とを、機体の同一の操作面側から操作可能としても良い。このようにすれば、入金処理と小束出金処理とを並行して行う場合等に容易となる。
【０１２１】
また、上記実施形態においては、入金機構３８によってバラ紙幣収納部３２，３３に収納されたバラ紙幣をバラのままバラ紙幣出金部から出金させるバラ出金機構を設けない場合を例にとり説明したが、このようなバラ出金機構を設けても良い。このように入金機構３８によって収納されたバラ紙幣をバラのまま出金させるバラ出金機構をさらに設ければ、小束紙幣のみではなく、バラ紙幣をも出金させることができる。
【０１２２】
この場合は、入金機構３８の入金操作表示部１６および紙幣投入部１５に加えて、バラ出金機構用のバラ出金操作表示部とバラ紙幣出金部とを、機体の第１操作面１１Ａ側から操作可能とし、小束出金機構５４を、上記と同様に、機体の第２操作面１１Ｂ側から操作可能とするのが良い。そして、第１操作面１１Ａを顧客側スペースＳ１に臨むように配置することで、顧客がバラ紙幣を入金機構３８を操作して入金でき、またバラ出金機構を操作してバラ紙幣を出金させることができる。他方、小束出金機構５４が、機体の第２操作面１１Ｂ側から操作可能となるため、この第２操作面１１Ｂを係員側スペースＳ２に臨むように配置することで、係員が結束収納機構４９に収納された小束紙幣を出金させることができる。
【０１２３】
なお、上記実施形態においては、通常整理処理を実行する際の基準となる第１開始指定枚数ＳＴ１と、強制整理処理実行後の当該一の入金処理における一時貯留処理と並行して通常整理処理を実行する際の基準となる第２開始指定枚数ＳＴ２とを、異なる数値にて説明したが、これに限るものではなく、同じ数値を用いても良い。
【０１２４】
また、上記実施形態においては、通常整理処理または強制整理処理を行う対象となるバラ紙幣収納部を一部のバラ紙幣収納部に限定して説明したが、これに限るものではなく、一つ、またはすべてのバラ紙幣収納部を対象としても良く、それに合わせて、小束収納部の構成を変更すればよい。
【０１２５】
また、以上の実施形態の紙幣処理機１１では、複数の一時貯留部２７〜３０に一時貯留処理したバラ紙幣を、キャンセル操作により顧客に返却する際、複数の一時貯留部２７〜３０からバラ紙幣を入金リジェクト部２２に送り出すように構成しているが、複数の一時貯留部２７〜３０を第１操作面１１Ａ側に引き出し可能に構成して、一時貯留された状態で、取り出せるようにしても良い。
【図面の簡単な説明】
【０１２６】
【図１】本発明の一実施形態の紙幣処理機を示す概略断面図である。
【図２】本発明の一実施形態の紙幣処理機を示す概略断面図である。
【符号の説明】
【０１２７】
１１  紙幣処理機
１１Ａ  第１操作面
１１Ｂ  第２操作面
１５  紙幣投入部
１６  入金操作表示部（入金操作部）
１９  入金識別部
２７〜３０  一時貯留部
３１〜３４  バラ紙幣収納部
３７  制御部
３８  入金機構
４５  結束部
４６〜４８  小束収納部
４９  結束収納機構
５１  小束出金部
５２  出金操作表示部（出金操作部）
５４  小束出金機構
【図１】
2007193743.tif 000003
【図２】
2007193743.tif 000004